(57)【要約】  支持構造体によって結合される第１および第２の音声再生モジュールを備えるマルチモード音声再生装置が開示されている。第１および第２の音声再生モジュールは２つの形態間で移動できる。第１の形態では音声再生装置がスピーカとしての機能を果たし、第２の形態では音声再生装置がヘッドフォンとしての機能を果たす。本発明の第２の実施形態は、ヘッドセットおよびスピーカとしての機能を果たすポータブル音声再生モジュールを開示する。
2008536443.tif 000002
【特許請求の範囲】
【請求項１】
第１の音声ドライバモジュールと、
第２の音声ドライバモジュールと、
前記第１および第２の音声ドライバモジュールを結合する支持構造体と、
を備え、
前記第１および第２の音声ドライバモジュールは、それらがヘッドフォンとして使用されるように位置される第１の形態とそれらがスピーカとして使用されるように位置される第２の形態との間で互いに対して移動できる、音声再生装置。
【請求項２】
前記第１および第２の音声ドライバモジュールがそれぞれヘッドフォン音声ドライバとスピーカ音声ドライバとを含み、音声再生装置が前記第１の形態のときに前記ヘッドフォン音声ドライバが互いにほぼ対向し且つ前記スピーカ音声ドライバが互いにほぼ外側を向く、請求項１に記載の音声再生装置。
【請求項３】
前記第１および第２の音声ドライバモジュールは、前記第２の形態をとるために互いの方に向けて移動できる、請求項２に記載の音声再生装置。
【請求項４】
前記第１および第２の音声モジュールの前記スピーカ音声ドライバは、前記第１および第２の音声モジュールが前記第２の形態にあるときにほぼ同じ方向で音を投影するように位置される、請求項３に記載の音声再生装置。
【請求項５】
前記第１および第２の音声モジュールの前記スピーカ音声ドライバは、前記第１および第２の音声モジュールが前記第２の形態にあるときにほぼ同じ方向で音を投影するように位置される、請求項２に記載の音声再生装置。
【請求項６】
前記音声再生装置が前記第１の形態にあるときに前記スピーカ音声ドライバを無効にし且つ前記音声再生装置が前記第２の形態にあるときに前記ヘッドフォン音声ドライバを無効にするためのスイッチを更に備える、請求項２に記載の音声再生装置。
【請求項７】
前記第１および第２の音声モジュールは、前記第２の形態において互いに係合してそれらの相対的位置を維持する、請求項１に記載の音声再生装置。
【請求項８】
前記支持構造体は、前記第２の形態のときに、前記第１および第２の音声モジュールを下支えする役目を果たす、請求項４に記載の音声再生装置。
【請求項９】
音声を無線受信するための回路を更に備える、請求項１に記載の音声再生装置。
【請求項１０】
前記回路は、圧縮された音声データを解凍するためのプロセッサを含む、請求項９に記載の音声再生装置。
【請求項１１】
前記スイッチは、前記第１および第２の音声モジュールが前記形態同士の間で移動されるときに自動的に動作する、請求項６に記載の音声再生装置。
【請求項１２】
前記支持構造体は、前記第１の形態にあるときに、前記第１および第２の音声ドライバモジュールのためのヘッドバンドとしての機能を果たす、請求項２に記載の音声再生装置。
【請求項１３】
前記第１の音声ドライバモジュールおよび前記第２の音声ドライバモジュールがそれぞれ筐体を備え、前記各筐体が前面と後面とを備え、前記スピーカ音声ドライバが前記前面に装着され、前記ヘッドフォン音声ドライバが前記後面に装着されている、請求項２に記載の音声再生装置。
【請求項１４】
前記スピーカ音声ドライバは、前記第１および第２の音声ドライバモジュールが前記第２の形態にあるときに作動しているが、前記第１および第２の音声ドライバモジュールが前記第１の形態にあるときに作動しておらず、前記ヘッドフォン音声ドライバは、前記第１および第２の音声ドライバモジュールが前記第１の形態にあるときに作動している、請求項２に記載の音声再生装置。
【請求項１５】
前記ヘッドフォン音声ドライバは、前記第１および第２の音声ドライバモジュールが前記第２の形態にあるときに作動していない、請求項１４に記載の音声再生装置。
【請求項１６】
前記筐体のうちの少なくとも一方は、前記第１および第２の音声ドライバモジュールが前記第１の形態にあるのか或いは前記第２の形態にあるのかを検出するための検出器を更に備える、請求項１３に記載の音声再生装置。
【請求項１７】
前記各筐体が端部を更に備え、前記各端部は、前記第１および第２の音声ドライバモジュールが前記第２の形態にあるときに前記第１の音声ドライバモジュールの端部を前記第２の音声ドライバモジュールの端部とともに解放可能に保持するためのリテーナを備える、請求項１３に記載の音声再生装置。
【請求項１８】
前記リテーナは、舌部および相補的な溝と、ピンおよび相補的な穴と、からなるグループから選択される少なくとも一方を備える、請求項１７に記載の音声再生装置。
【請求項１９】
前記支持構造体は、前記第１および第２の音声ドライバモジュールの両方の筐体に対して回動可能に接続されている、請求項１３に記載の音声再生装置。
【請求項２０】
前記後面に装着され且つ前記ヘッドフォン音声ドライバと同軸なイヤパッドを更に備える、請求項１３に記載の音声再生装置。
【請求項２１】
前記ヘッドフォン音声ドライバと前記スピーカ音声ドライバとの間に位置される各筐体内に少なくとも１つの内部バッフルを更に備える、請求項１３に記載の音声再生装置。
【請求項２２】
前記少なくとも１つのバッフルが前記各筐体を２つのサブ筐体に分割し、第１のサブ筐体が前記ヘッドフォン音声ドライバのためのものであり、第２のサブ筐体が前記スピーカ音声ドライバのためのものである、請求項２１に記載の音声再生装置。
【請求項２３】
音声再生装置であって、
（ａ）第１の音声ドライバモジュールと、
（ｂ）第２の音声ドライバモジュールと、
を備え、
前記第１および第２の音声ドライバモジュールが第１の形態と第２の形態との間で互いに対して移動でき、前記第１および第２の音声ドライバモジュールのうちの少なくとも一方が、前記装置に対して供給される音声を処理するための音声処理回路を備え、前記音声処理回路が増幅器を備え、前記増幅器は、前記装置が前記第１の形態にあるときに入力に対して応答して増幅器の出力を自動的に制限する、音声再生装置。
【請求項２４】
前記第１および第２の音声ドライバモジュールのそれぞれが筐体を備え、前記各筐体が端部を有し、前記入力は、前記筐体のうちの少なくとも一方の前記端部に装着された検出器からのものである、請求項２３に記載の音声再生装置。
【請求項２５】
前記音声処理回路は、前記検出器から出力を受け且つ入力を供給するためのスイッチを更に備える、請求項２４に記載の音声再生装置。
【請求項２６】
ヘッドセットとして独立に使用できるポータブル音声ドライバモジュールと、
前記ポータブル音声ドライバモジュールの配置および係合を可能にする支持構造体と、
を備える、音声再生装置。
【請求項２７】
前記ポータブル音声ドライバモジュールおよび前記支持構造体は、前記ドライバモジュールと前記支持構造体との係合後に電気的および機能的に接続される、請求項２６に記載の音声再生装置。
【請求項２８】
前記ポータブル音声ドライバモジュールは、バッテリパック、ＡＣ電源、または、内蔵電源を備えるグループから選択される電源によって給電される、請求項２６に記載の音声再生装置。
【請求項２９】
前記支持構造体は、前記ポータブル音声ドライバモジュール内の電源を充電する、請求項２７に記載の音声再生装置。
【請求項３０】
前記ポータブル音声ドライバモジュールが音声の無線受信のための回路を備える、請求項２６に記載の音声再生装置。
【請求項３１】
前記ポータブル音声ドライバモジュールが直接的な接続によって音声を受信するための回路を備える、請求項２６に記載の音声再生装置。
【請求項３２】
前記ヘッドセットがマイクロフォンを含む、請求項２６に記載の音声再生装置。
【発明の詳細な説明】
【技術分野】
【０００１】
本発明は、マルチモード音声再生装置に関し、特に、排他的ではないが、ヘッドフォンおよびスピーカの両方として使用できる音声再生装置について言及する。
【背景技術】
【０００２】
音声の再生は、例えばイヤフォン、ヘッドフォン、または、１つ以上のスピーカなどの再生装置を必要とする。
【０００３】
今日、多くの人々は、ポータブルミュージックプレーヤ、ポータブルメディアプレーヤ、ポータブルゲームコンソール・プレーヤ、ゲームを伴うポータブルコンピュータ、映画やオーディオ等を含むマルチメディアプレーヤのうちの１つ以上を有する。これは、多くの場合、音声再生用の取り付け可能な外部スピーカ及び／又は音声再生用のヘッドフォンの使用を必要とする。多くの人々は、旅行時に使用するヘッドフォンおよびオフィスやホテルルームなどで用いるスピーカの両方を有する。
【発明の開示】
【発明が解決しようとする課題】
【０００４】
第１の好ましい態様によれば、音声再生装置が提供される。音声再生装置は、第１の音声ドライバモジュールと、第２の音声ドライバモジュールと、第１および第２の音声ドライバモジュールを結合する支持構造体とを備える。第１および第２の音声ドライバモジュールは、それらがヘッドフォンとして使用されるように位置される第１の形態とそれらがスピーカとして使用されるように位置される第２の形態との間で互いに対して移動できる。
【課題を解決するための手段】
【０００５】
第１および第２の音声ドライバモジュールはそれぞれヘッドフォン音声ドライバとスピーカ音声ドライバとを含んでも良い。音声再生装置が第１の形態のときにヘッドフォン音声ドライバが互いにほぼ対向し且つスピーカ音声ドライバが互いにほぼ外側を向いても良い。第１および第２の音声ドライバモジュールは、第２の形態をとるために互いの方に向けて移動できても良い。
【０００６】
第１および第２の音声モジュールのスピーカ音声ドライバは、第１および第２の音声モジュールが第２の形態にあるときにほぼ同じ方向で音を投影するように位置されても良い。第１および第２の音声モジュールのスピーカ音声ドライバは、第１および第２の音声モジュールが第２の形態にあるときにほぼ同じ方向で音を投影するように位置されても良い。
【０００７】
音声再生装置は、音声再生装置が前記第１の形態にあるときにスピーカ音声ドライバを無効にし且つ音声再生装置が第２の形態にあるときにヘッドフォン音声ドライバを無効にするためのスイッチを更に備えても良い。スイッチは、第１および第２の音声モジュールが前記形態同士の間で移動されるときに自動的に動作しても良い。
【０００８】
第１および第２の音声モジュールは、第２の形態において互いに係合してそれらの相対的位置を維持しても良い。支持構造体は、第２の形態のときに、第１および第２の音声モジュールを下支えする役目を果たし、第１の形態のときに、第１および第２の音声ドライバモジュールのためのヘッドバンドとしての機能を果たしても良い。
【０００９】
音声再生装置は、音声を無線受信するための回路を更に備えても良い。回路は、圧縮された音声データを解凍するためのプロセッサを含んでも良い。
【００１０】
第１および第２の音声ドライバモジュールがそれぞれ筐体を備えても良い。各筐体が前面と後面とを備えても良い。スピーカ音声ドライバが前記前面に装着されても良く、また、ヘッドフォン音声ドライバが前記後面に装着されても良い。
【００１１】
スピーカ音声ドライバは、第１および第２の音声ドライバモジュールが第２の形態にあるときに作動しても良いが、第１および第２の音声ドライバモジュールが第１の形態にあるときに作動しなくても良い。ヘッドフォン音声ドライバは、第１および第２の音声ドライバモジュールが第１の形態にあるときに作動しても良い。ヘッドフォン音声ドライバは、第１および第２の音声ドライバモジュールが第２の形態にあるときに作動していないことが好ましい。
【００１２】
筐体のうちの少なくとも一方は、第１および第２の音声ドライバモジュールが第１の形態にあるのか或いは第２の形態にあるのかを検出するための検出器を更に備えても良い。支持構造体は、第１および第２の音声ドライバモジュールの両方の筐体に対して回動可能に接続されていても良い。
【００１３】
各筐体が端部を更に備えても良く、各端部は、第１および第２の音声ドライバモジュールが第２の形態にあるときに第１の音声ドライバモジュールの端部を第２の音声ドライバモジュールの端部とともに解放可能に保持するためのリテーナを備えても良い。リテーナは、舌部および相補的な溝であっても良く、あるいは、ピンおよび相補的な穴であっても良い。また、後面に装着され且つヘッドフォン音声ドライバと同軸なイヤパッドが存在していても良い。
【００１４】
ヘッドフォン音声ドライバとスピーカ音声ドライバとの間に位置される各筐体内に少なくとも１つの内部バッフルが存在していても良い。少なくとも１つのバッフルは、各筐体を、２つのサブ筐体、すなわち、ヘッドフォン音声ドライバのための第１のサブ筐体と、スピーカ音声ドライバのための第２のサブ筐体とに分割しても良い。
【００１５】
第２の好ましい態様によれば、第１の音声ドライバモジュールと、第２の音声ドライバモジュールとを備え、第１および第２の音声ドライバモジュールが第１の形態と第２の形態との間で互いに対して移動できる音声再生装置が提供される。第１および第２の音声ドライバモジュールのうちの少なくとも一方は、装置に対して供給される音声を処理するための音声処理回路を備える。音声処理回路は増幅器を備え、増幅器は、装置が第１の形態にあるときに入力に対して応答して増幅器の出力を自動的に制限する。
【００１６】
第１および第２の音声ドライバモジュールのそれぞれが筐体を備え、各筐体が端部を有しても良い。入力は、筐体のうちの少なくとも一方の端部に装着された検出器からのものであっても良い。音声処理回路は、検出器から出力を受け且つ入力を供給するためのスイッチを更に備えても良い。
【００１７】
本発明を十分に理解でき且つ容易に実用的効果が得られる状態にし得るようにするため、ここで、非限定的な単なる一例として本発明の好ましい実施形態について説明する。説明は添付図面を参照する。
【発明を実施するための最良の形態】
【００１８】
図１および図３を参照すると、２つのモード、すなわち、第１のモードつまりヘッドフォンとして使用できる形態と、第２のモードつまりスピーカとして使用できる形態とで使用可能なマルチモード音声再生装置が示されている。
【００１９】
図１は、それがヘッドフォンとして機能する第１の形態における音声再生装置を示している。音声再生装置１０は、第１の音声再生モジュール１４と第２の音声再生モジュール１６との間で延び且つこれらのモジュールに対して回動可能に接続されたヘッドバンド１２を含む。ヘッドバンド１２の各端部１８には、ヘッドバンド１２とそれぞれの音声再生モジュール１４、１６との間に回動接続部またはヒンジ接続部２０が存在する。
【００２０】
ヘッドバンド１２は、ヘッドバンド１２の有効長を変えることができるように互いに対してスライドできる第１の部分２２および第２の部分２４を有する。これにより、ヘッドバンド１２をユーザの頭に合うように調整できる。第１の部分２２および第２の部分２４は伸縮自在に互いに係合しても良い。
【００２１】
各音声再生モジュール１４、１６は、前面３２と、後面３４と、端面３６と、上端３８とを有する筐体３０を備える。回動接続部２０は、上端３８もしくはその近傍の後面３４上にあることが好ましい。
【００２２】
少なくとも１つのスピーカドライバ４０が前面３２内及び／又は前面３２に対して装着されている。１つのドライバ４０が示されているが、前面３２に１つ以上のドライバ４０があっても良い。
【００２３】
ドライバ４０を保護するため、前面３２の少なくともドライバ４０が配置される部分を覆うように取り外し可能なカバー４２が設けられている。カバー４２は、例えばＶｅｌｃｒｏ（商標）、バヨネット取付具、クリップ、スナップ式取付具などの任意の公知の適したリテーナを使用して取り外し可能に取り付けられても良い。図示のように、カバー４２は、前面３２の周縁４６にわたってスナップフィットするリム４４を有する。
【００２４】
後面３４にはイヤパッド５０が装着されている。イヤパッド５０は、「耳の上に載る」スタイル（図示せず）のものであっても良く、あるいは、耳を取り囲むタイプのものであっても良い。イヤパッド５０は、マウント５２によって後面３４に対して解放可能に取り付けられても良い。マウント５２は、イヤパッド５０が取り付けられる短い中空シリンダの形態をなしていても良い。後面３４内及び／又は後面３４に対しては、イヤパッド５０およびマウント５２と略同軸に、ヘッドフォンドライバ５４が装着されている。ヘッドフォンドライバ５４によって再生される音声は、マウント５２およびイヤパッド５０を通過できるとともにユーザにより聴くことができる。ヘッドフォンドライバ５４は、筐体３０の取り囲み容積が例えば低周波数で音響応答を向上させるように、筐体３０内または筐体３０に対して装着されても良い。
【００２５】
各音声再生モジュール１４、１６の端部３６はリテーナ５６を有する。図４および図６に示されるように、このリテーナは、スナップフィットまたはスライドフィットの様態で係合する相補的な舌部５８および溝６０を備える。このようにすれば、２つの端部３６同士をくっつけて舌部５８を溝６０内に係合させることができ、それにより、後面３４同士が同一平面上になり且つ端部３６が互いに隣接し或いは互いに接触する状態で２つの音声再生モジュール１４、１６が互いに解放可能に固定される。
【００２６】
この状況において、音声再生装置１０は、この瞬間に、第２のモードすなわちそれがスピーカとしての機能を果たす形態となる。これが図２および図５に示されている。ここで、ヘッドバンド１２は支持体または支柱としての役目を果たし、それにより、ドライバ４０からの音の投影を行なう面６２に対して所定の角度で音声再生モジュール１４、１６を面６２上に置くことができる。
【００２７】
図４では、支持体１２が持ち運びハンドルとして使用されている。
【００２８】
端部３６の一方または両方は、音声再生モジュール１４、１６がヘッドフォンモードとスピーカモードとの間で自動的に切り換わるように端部３６が係脱される時期を決定するための検出器６４を有しても良い。検出器６４は、音声再生モジュールがヘッドフォン形態とスピーカ形態との間で回動する際に関連する音声ドライバを自動的に接続し或いは切断する圧力スイッチ、近接スイッチ、カム、接点などであっても良い。
【００２９】
ドライバ４０、５４が図６に更に詳しく示されている。これらのドライバは、互いに対向していても良く、あるいは、縦方向または横方向に離間されていても良い。必要に応じて、音響応答を向上させるため、及び／又は、筐体を２つのサブ筐体へと分けることにより（１つは第１のドライバのため、１つはヘッドフォンドライバ５４のためのものである）、ドライバ４０、５４を別個の区画室内へと分離し或いは孤立させるため、ドライバ４０、５４間にディバイダまたはバッフル８２［図６（ａ）］が設けられても良い。バッフルまたはディバイダ８２は必要に応じて穿孔されても良い。
【００３０】
音声再生モジュール１４、１６は、ヘッドバンド支持体１２内に通常の様態で配置されたケーブル７６（図７）によって結合されている。音声再生装置１０は、外部音源から或いは内蔵ＭＰ３、ＦＭラジオまたはプレーヤなどから音声を受ける。外部音源から受ける場合には、以下によって受けても良い。すなわち、
（ｉ）例えばＵＳＢ接続やＩＥＥＥ  １３９４接続などの関連する接続を使用する或いはＲＣＡなどの接続を使用する直接的な接続によって受けても良い。
（ｉｉ）従来のヘッドフォンプラグまたはミニヘッドフォンプラグなどの適切なコネクタを遠位端で使用するケーブル接続によって受けても良い。ケーブル接続は、音声再生装置１０に対して取り外し不能に接続されても良く、または、適切なコネクタの使用により取り外し可能であっても良い。あるいは、
（ｉｉｉ）例えばブルートゥース、Ｗｉ−Ｆｉ、赤外線または磁気誘導を使用する無線により受けても良い。ブルートゥースの場合には、Ａ２ＤＰ音声プロファイルであっても良い。
【００３１】
音声再生装置１０は、図７に示されるように、適切な音声処理回路６６を有しても良い。回路は、通常、音声再生モジュール１４、１６のうちの一方に設けられる。例えばＭＰ３などのエンコードされたフォーマットの場合には、音声を無線で受けるためのアンテナ７０と、受けられた音声をデコードするためのデコーダ７１とが含められる。プロセッサ７２は全体の機能性を制御する。ユーザエクスペリエンスを高めるためにスペーシャライザ７３または他の音声プロセッサが使用されても良い。音声ドライバの過負荷を防止するためにクリッパ７４が使用されても良い。外部増幅器または内部増幅器を使用して音声再生モジュール１４、１６に電力が供給されても良い。無線音声受信及び／又はデコーディングにおいて内蔵回路が使用されると、音声を増幅するために内蔵増幅器７５が使用される。
【００３２】
検出器６４は、プロセッサ７２と別個であっても良く或いは一体であっても良いスイッチ７７に対して動作可能に接続される。スイッチ７７は、音声再生モジュール１４、１６が分離されており、したがって、ヘッドフォンモードであるのか、あるいは、音声再生モジュール１４、１６が結合されており、したがって、スピーカモードであるのかどうかをプロセッサ７２が決定できるようにすることができる。ヘッドフォンモードである場合には、ユーザの聴覚を保護するために増幅器７５からの出力が制限されても良い。また、ドライバ５４を用いてヘッドフォンとして使用される場合には、音声がドライバ４０によって再生されないようにスピーカドライバ４０が無効にされても良い。スピーカモードになり、スピーカドライバ４０が作動しているときには、ヘッドフォンドライバ５４が無効にされても良い。あるいは、スピーカモードの場合、音声再生モジュール１４、１６からの音響応答を向上させるため、ヘッドフォンドライバ５４が使用可能なままであっても良い。
【００３３】
スピーカドライバ４０およびヘッドフォンドライバ５４は同じであっても良いが、それらの機能が異なるため、これらのドライバは一般に異なる音声再生特性を有する。スピーカドライバ４０は、ヘッドフォンドライバ５４よりも物理的に大きく、ヘッドフォンドライバ５４よりも大きい電力定格を有するとともに、ヘッドフォンドライバ５４よりも相対的に幅広い周波数応答を有するのが一般的である。しかしながら、スピーカドライバ４０は、物理的に小さくても良く、また、高周波においてヘッドフォンドライバよりも良好な周波数応答を有しても良いが、低周波において周波数応答が低くても良い。このように、ヘッドフォンドライバ５４は、後方を向くヘッドフォンドライバが良好な低周波応答を伴って音声を再生できるようにスピーカモードのときに使用されても良い。そのような再生された音声の反射は、高い低周波応答を有しても良い。
【００３４】
必要に応じて必要な電力を供給するためにバッテリ７８が使用されても良い。１つの実施形態において、音声再生装置１０は、増幅されたアナログ信号をケーブルを介して（すなわち、従来のヘッドフォン様態で）直接に受け、そのため、更なる電力を要しない。無線音声受信、音声データのデコーディング、または、増幅において更なる電力が必要とされる場合、この電力は、外部電源（例えば、バッテリパックまたはＡＣ電源）またはバッテリ７８などの内蔵電源によって供給されても良い。
【００３５】
必要に応じて或いは望ましい場合に、音量及び／又はバランス及び／又は音色及び／又は高音及び／又は低音応答のための制御装置７９が設けられても良い。これに代えて或いはこれに加えて、外部音源の制御装置が使用されても良い。雑音消去機能８０が含められても良い。
【００３６】
図９〜図１４は、回動接続部２０が僅かに異なる形態を成し且つ筐体３０が異なる形状を有することを除いて第１の実施形態と同一である第２の実施形態を示している。また、マウント５２は、比較的小さい直径を有する中空シリンダである。他の全ての点において、本実施形態は図１〜図８の実施形態と同じである。
【００３７】
本発明の第２の実施形態が図１５および図１６に示されている。また、２つのモードで、すなわち、それがヘッドセットとして使用できる第１のモード及びそれがスピーカとして使用できる第２のモードで使用可能なマルチモード音声再生装置も示されている。
【００３８】
図１５は、ヘッドセットとして第１のモードで使用される音声再生モジュール１６を示している。モジュール１６は、第１の実施形態で説明した音声再生装置のヘッドバンド１２から取り外すことができる。モジュール１６は、ヘッドセットとして使用されるときに独立して給電されても良い。例えば、モジュール１６に給電するためにバッテリ１がモジュール１６内に組み込まれていても良く、あるいは、それが太陽電池によって給電されても良い。モジュール１６は、ユーザの耳に引っ掛けるためのイヤラッチ（図示せず）を有しても良い。モジュール１６、１４がイヤラッチを有していれば、音声再生装置の第１の実施形態をネックフォンとして使用できる場合があり、その場合、ヘッドバンド１２がユーザの頭の後部に向かって置かれる。ヘッドバンド１２は、モジュール１６（及び／又はモジュール１４）がヘッドバンド１２に接続されるときにモジュール１６（及び／又はモジュール１４）の電源を充電する電源を含んでも良い。バッテリ１を有するモジュール１６は、モジュール１６、１４が図１７に示されるようなヘッドバンド１２と接続されるときにモジュール１４に対して電力を供給しても良い。モジュール１６上の第１のレセプタ２および第２のレセプタ４は、ヘッドバンドまたはネックバンドの電源コネクタおよび機能コネクタをそれぞれ受けるためのものであっても良い。したがって、モジュール１６、１４がヘッドバンド１２と接続される際、それぞれの個々のモジュールの機能の制御により、両方のモジュールの同時制御ができても良い。
【００３９】
図１７を参照すると、ヘッドバンド１２の第１のコネクタ３および第２のコネクタ５は、第１のレセプタ２および第２のレセプタ４にそれぞれ接続する。コネクタ３、５は、レセプタ２、４に嵌合するクリックロックピン９（図１８に示されている）を使用してヘッドバンド１２をモジュール１６、１４に固定するコネクタであっても良い。
【００４０】
モジュール１６は、外部音源から音声を受けても良く、あるいは、内蔵メディアファイル源、ＦＭラジオ、携帯電話などから音声を受けても良い。モジュールは、外部音源から受ける場合、以下によって受けても良い。すなわち、
（ｉ）例えばＵＳＢ接続やＩＥＥＥ  １３９４接続などの関連する接続を使用する或いはＲＣＡなどの接続を使用する直接的な接続によって受けても良い。
（ｉｉ）従来のヘッドフォンプラグまたはミニヘッドフォンプラグなどの適切なコネクタを遠位端で使用するケーブル接続によって受けても良い。ケーブル接続は、モジュール１６に対して取り外し不能に接続されても良く、または、適切なコネクタの使用により取り外し可能であっても良い。あるいは、
（ｉｉｉ）例えばブルートゥース、Ｗｉ−Ｆｉ、赤外線または磁気誘導を使用する無線により受けても良い。ブルートゥースの場合には、Ａ２ＤＰ音声プロファイルであっても良い。
【００４１】
モジュール１６は、本発明の第１の実施形態のように、図７に示されるような適切な音声処理回路６６を独立に有しても良い。モジュール１６は、例えばＭＰ３などのエンコードされたフォーマットの場合、音声を無線で受けるためのアンテナ７０と、受けられた音声をデコードするためのデコーダ７１とを含んでも良い。プロセッサ７２は全体の機能性を制御する。ユーザエクスペリエンスを高めるためにスペーシャライザ７３または他の音声プロセッサが使用されても良い。音声ドライバの過負荷を防止するためにクリッパ７４が使用されても良い。また、本発明の第２の実施形態は、外部音源へと戻るスピーチなどの音声信号の送信のためにユーザが話し掛けるマイクロフォン９８を有しても良い。音声信号は、外部音源に記録されても良く、あるいは、携帯電話ヘッドセットとしての使用のように送信されても良い。マイクロフォン１０は、モジュール１６と一体のブームであっても良い。
【００４２】
図１６を参照すると、音の投影がドライバ４０からとなるスピーカとして第２のモードで使用される表面６２上に置かれたモジュール１６が示されている。モジュール１６は、第１のモードと第２のモードとの間を切り換えるスイッチを有しても良い。イヤパッド５０は支持体または支柱としての役目を果たしても良く、それにより、ドライバ４０からの音の投影を行なうための面６２に対して所定の角度でモジュール１６を面６２上に置くことができる。
【００４３】
以上の説明では、本発明の好ましい実施形態について説明してきたが、当業者であれば分かるように、本発明から逸脱することなく、デザインまたは構造または動作の内容において多くの変形または改良をなしても良い。
【図面の簡単な説明】
【００４４】
【図１】第１のモードで使用中の音声再生装置の第１の実施形態の正面斜視図である。
【図２】第２のモードで使用中の第１の実施形態の正面斜視図である。
【図３】図１に対応する図である。
【図４】第３のモードの第１の実施形態の側面図である。
【図５】図２に対応する側面図である。
【図６】図３の矢印６−６の線に沿う当該矢印の方向での部分断面図である。
【図６ａ】図６に対応するが他の実施形態の図である。
【図７】回路の好ましい形態の例示である。
【図８】第１のモードにあるときの第２の実施形態の上側から見た背面斜視図である。
【図９】図６に対応する下側斜視図である。
【図１０】図６および図７に対応する下面図である。
【図１１】図６から図８に対応する正面図である。
【図１２】図６から図９に対応する側面図である。
【図１３】第２のモードにおける第２の実施形態の正面斜視図である。
【図１４】図１１に対応する背面斜視図である。
【図１５】第１のモードで使用中の音声再生装置の第２の実施形態の正面斜視図である。
【図１６】第２のモードで使用中の第２の実施形態の正面斜視図である。
【図１７】音声再生装置の第２の実施形態で使用されるヘッドバンドの第２の実施形態の正面斜視図である。
【図１８】図１７の円形部分の拡大図である。
【図１】
2008536443.tif 000003
【図２】
2008536443.tif 000004
【図３】
2008536443.tif 000005
【図４】
2008536443.tif 000006
【図５】
2008536443.tif 000007
【図６】
2008536443.tif 000008
【図６Ａ】
2008536443.tif 000009
【図７】
2008536443.tif 000010
【図８】
2008536443.tif 000011
【図９】
2008536443.tif 000012
【図１０】
2008536443.tif 000013
【図１１】
2008536443.tif 000014
【図１２】
2008536443.tif 000015
【図１３】
2008536443.tif 000016
【図１４】
2008536443.tif 000017
【図１５】
2008536443.tif 000018
【図１６】
2008536443.tif 000019
【図１７】
2008536443.tif 000020
【図１８】
2008536443.tif 000021
【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
第１の音声ドライバモジュールと、
第２の音声ドライバモジュールと、
前記第１および第２の音声ドライバモジュールを結合する支持構造体と、
を備え、
前記第１および第２の音声ドライバモジュールは、それらがヘッドフォンとして使用されるように位置される第１の形態とそれらがスピーカとして使用されるように位置される第２の形態との間で互いに対して移動できる、音声再生装置。
【請求項２】
前記第１および第２の音声ドライバモジュールがそれぞれヘッドフォン音声ドライバとスピーカ音声ドライバとを含み、音声再生装置が前記第１の形態のときに前記ヘッドフォン音声ドライバが互いにほぼ対向し且つ前記スピーカ音声ドライバが互いにほぼ外側を向く、請求項１に記載の音声再生装置。
【請求項３】
前記第１および第２の音声ドライバモジュールは、前記第２の形態をとるために互いの方に向けて移動できる、請求項２に記載の音声再生装置。
【請求項４】
前記第１および第２の音声モジュールの前記スピーカ音声ドライバは、前記第１および第２の音声モジュールが前記第２の形態にあるときにほぼ同じ方向で音を投影するように位置される、請求項３に記載の音声再生装置。
【請求項５】
前記第１および第２の音声モジュールの前記スピーカ音声ドライバは、前記第１および第２の音声モジュールが前記第２の形態にあるときにほぼ同じ方向で音を投影するように位置される、請求項２に記載の音声再生装置。
【請求項６】
前記音声再生装置が前記第１の形態にあるときに前記スピーカ音声ドライバを無効にし且つ前記音声再生装置が前記第２の形態にあるときに前記ヘッドフォン音声ドライバを無効にするためのスイッチを更に備える、請求項２に記載の音声再生装置。
【請求項７】
前記第１および第２の音声モジュールは、前記第２の形態において互いに係合してそれらの相対的位置を維持する、請求項１に記載の音声再生装置。
【請求項８】
前記支持構造体は、前記第２の形態のときに、前記第１および第２の音声モジュールを下支えする役目を果たす、請求項４に記載の音声再生装置。
【請求項９】
音声を無線受信するための回路を更に備える、請求項１に記載の音声再生装置。
【請求項１０】
前記回路は、圧縮された音声データを解凍するためのプロセッサを含む、請求項９に記載の音声再生装置。
【請求項１１】
前記スイッチは、前記第１および第２の音声モジュールが前記形態同士の間で移動されるときに自動的に動作する、請求項６に記載の音声再生装置。
【請求項１２】
前記支持構造体は、前記第１の形態にあるときに、前記第１および第２の音声ドライバモジュールのためのヘッドバンドとしての機能を果たす、請求項２に記載の音声再生装置。
【請求項１３】
前記第１の音声ドライバモジュールおよび前記第２の音声ドライバモジュールがそれぞれ筐体を備え、前記各筐体が前面と後面とを備え、前記スピーカ音声ドライバが前記前面に装着され、前記ヘッドフォン音声ドライバが前記後面に装着されている、請求項２に記載の音声再生装置。
【請求項１４】
前記スピーカ音声ドライバは、前記第１および第２の音声ドライバモジュールが前記第２の形態にあるときに作動しているが、前記第１および第２の音声ドライバモジュールが前記第１の形態にあるときに作動しておらず、前記ヘッドフォン音声ドライバは、前記第１および第２の音声ドライバモジュールが前記第１の形態にあるときに作動している、請求項２に記載の音声再生装置。
【請求項１５】
前記ヘッドフォン音声ドライバは、前記第１および第２の音声ドライバモジュールが前記第２の形態にあるときに作動していない、請求項１４に記載の音声再生装置。
【請求項１６】
前記筐体のうちの少なくとも一方は、前記第１および第２の音声ドライバモジュールが前記第１の形態にあるのか或いは前記第２の形態にあるのかを検出するための検出器を更に備える、請求項１３に記載の音声再生装置。
【請求項１７】
前記各筐体が端部を更に備え、前記各端部は、前記第１および第２の音声ドライバモジュールが前記第２の形態にあるときに前記第１の音声ドライバモジュールの端部を前記第２の音声ドライバモジュールの端部とともに解放可能に保持するためのリテーナを備える、請求項１３に記載の音声再生装置。
【請求項１８】
前記リテーナは、舌部および相補的な溝と、ピンおよび相補的な穴と、からなるグループから選択される少なくとも一方を備える、請求項１７に記載の音声再生装置。
【請求項１９】
前記支持構造体は、前記第１および第２の音声ドライバモジュールの両方の筐体に対して回動可能に接続されている、請求項１３に記載の音声再生装置。
【請求項２０】
前記後面に装着され且つ前記ヘッドフォン音声ドライバと同軸なイヤパッドを更に備える、請求項１３に記載の音声再生装置。
【請求項２１】
前記ヘッドフォン音声ドライバと前記スピーカ音声ドライバとの間に位置される各筐体内に少なくとも１つの内部バッフルを更に備える、請求項１３に記載の音声再生装置。
【請求項２２】
前記少なくとも１つのバッフルが前記各筐体を２つのサブ筐体に分割し、第１のサブ筐体が前記ヘッドフォン音声ドライバのためのものであり、第２のサブ筐体が前記スピーカ音声ドライバのためのものである、請求項２１に記載の音声再生装置。
【請求項２３】
音声再生装置であって、
（ａ）第１の音声ドライバモジュールと、
（ｂ）第２の音声ドライバモジュールと、
を備え、
前記第１および第２の音声ドライバモジュールが第１の形態と第２の形態との間で互いに対して移動でき、前記第１および第２の音声ドライバモジュールのうちの少なくとも一方が、前記装置に対して供給される音声を処理するための音声処理回路を備え、前記音声処理回路が増幅器を備え、前記増幅器は、前記装置が前記第１の形態にあるときに入力に対して応答して増幅器の出力を自動的に制限する、音声再生装置。
【請求項２４】
前記第１および第２の音声ドライバモジュールのそれぞれが筐体を備え、前記各筐体が端部を有し、前記入力は、前記筐体のうちの少なくとも一方の前記端部に装着された検出器からのものである、請求項２３に記載の音声再生装置。
【請求項２５】
前記音声処理回路は、前記検出器から出力を受け且つ入力を供給するためのスイッチを更に備える、請求項２４に記載の音声再生装置。
【請求項２６】
ヘッドセットとして独立に使用できる少なくとも１つのポータブル音声ドライバモジュールと、
前記ポータブル音声ドライバモジュールの配置および係合を可能にするヘッドバンドと、
を備え、
少なくとも１つの前記ポータブル音声ドライバモジュールおよび前記ヘッドバンドは、少なくとも１つの前記ポータブル音声ドライバモジュールと前記ヘッドバンドとの係合後に電気的および機能的に接続される、音声再生装置。
【請求項２７】
前記ポータブル音声ドライバモジュールは、バッテリパック、ＡＣ電源、または、内蔵電源を備えるグループから選択される電源によって給電される、請求項２６に記載の音声再生装置。
【請求項２８】
前記ヘッドバンドは、前記ポータブル音声ドライバモジュール内の電源を充電する、請求項２６に記載の音声再生装置。
【請求項２９】
前記ポータブル音声ドライバモジュールが音声の無線受信のための回路を備える、請求項２６に記載の音声再生装置。
【請求項３０】
前記ポータブル音声ドライバモジュールが直接的な接続によって音声を受信するための回路を備える、請求項２６に記載の音声再生装置。
【請求項３１】
前記ヘッドセットがマイクロフォンを含む、請求項２６に記載の音声再生装置。
【国際調査報告】
2008536443.tif 000022
2008536443.tif 000023
2008536443.tif 000024